(57)【要約】【課題】特別な操作を必要とせずに、かつ迅速に交換レンズを防塵状態とする。【解決手段】交換レンズ２０をカメラから取り外すと、これに連動して開閉レバー３４が防塵機構が閉状態とし、複数の羽根３３が部分的に重なり合った状態でマウント開口ＯＰを完全に閉塞する。交換レンズ２０をカメラに装着すると、これに連動して開閉レバー３４が防塵機構を開状態とし、複数の羽根３３がマウント開口ＯＰを開放する。このような防塵構造をカメラ側に設けても効果的である。【選択図】図２
2007139849.tif 000002
【特許請求の範囲】
【請求項１】
カメラに装着するための開口を有したレンズ側マウント部と、
前記開口を閉塞した閉状態と前記開口を閉塞しない開状態とを形成可能な開口調整部と、
前記開口調整部を前記閉状態とするか前記開状態とするかを切り替える切り替え部とを有することを特徴とする交換レンズ。
【請求項２】
前記開口を閉塞した状態で、前記開口調整部は前記開口から前記交換レンズ内部へ塵埃が侵入することを防止することを特徴とする請求項１に記載の交換レンズ。
【請求項３】
前記開口調整部は前記開口の中心に向かって移動する移動部を有することを特徴とする請求項１または２に記載の交換レンズ。
【請求項４】
前記移動部は複数枚の羽根部であって、該羽根部の回動に伴って前記閉状態および前記開状態となることを特徴とする請求項３に記載の交換レンズ。
【請求項５】
前記羽根部を前記閉状態となるように付勢する付勢部を有することを特徴とする請求項４に記載の交換レンズ。
【請求項６】
前記切り替え部は、前記カメラへの装着に連動して前記開口調整部を開状態とすることを特徴とする請求項１〜５のいずれかに交換レンズ。
【請求項７】
交換レンズを装着するための開口を有したカメラ側マウントと、
前記開口を閉塞した閉状態と前記開口を閉塞しない開状態とを形成可能な開口調整部と、
前記開口調整部を前記閉状態とするか前記開状態とするかを切り替える切り替え部とを有することを特徴とするカメラボディ。
【請求項８】
前記開口を閉塞した状態で、前記開口調整部は前記開口から前記カメラ内部へ塵埃が侵入することを防止することを特徴とする請求項７に記載のカメラボディ。
【請求項９】
前記開口調整部は前記開口の中心に向かって移動する移動部を有することを特徴とする請求項７または８に記載のカメラボディ。
【請求項１０】
前記移動部は複数枚の羽根部であって、該羽根部の回動に伴って前記閉状態および前記開状態となることを特徴とする請求項９に記載のカメラボディ。
【請求項１１】
前記羽根部を前記閉状態となるように付勢する付勢部を有することを特徴とする請求項１０に記載のカメラボディ。
【請求項１２】
前記切り替え部は、前記交換レンズの装着に連動して前記開口調整部を開状態とすることを特徴とする請求項７〜１１のいずれかに記載のカメラボディ。
【発明の詳細な説明】
【技術分野】
【０００１】
本発明は、カメラ用の交換レンズおよびカメラボディに関する。
【背景技術】
【０００２】
一眼レフカメラから交換レンズを取り外したとき、交換レンズのマウント開口から鏡筒内に塵埃が侵入し、撮影光学系の後部レンズ（いわゆる、後玉）に付着して撮影結果に悪影響を及ぼすおそれがある。また、塵埃が入り込んだ交換レンズをカメラに装着すると、それらの塵埃がマウント開口を通ってカメラ本体内に移動し、特に電子カメラでは撮像素子や光学フィルタ等に塵埃が付着すると、画像により顕著な悪影響を及ぼす。この問題に対し、従来は交換レンズを取り外したときにマウント開口にレンズキャップを装着することで対処している。
【０００３】
またレンズの前面側に関しては、レンズバリアにてレンズ保護を図ったものがある。例えば特許文献１のレンズバリアユニットは、鏡筒内のカム環の回転力を利用して開閉するよう構成される。
【０００４】
【特許文献１】特開２００４−１８４５８５号公報
【発明の開示】
【発明が解決しようとする課題】
【０００５】
しかしながら、交換レンズのマウント開口にキャップを装着する方法は、レンズ交換のたびにキャップの装着および取り外しを行う必要があり、甚だ面倒であるのに加えて、キャップを紛失するおそれもある。また、特に埃っぽい場所でレンズ交換を行うと、キャップを装着する前に塵埃が入り込んでしまうおそれもある。またレンズバリアは、交換レンズのマウント側のレンズの保護を図るものではない。
【課題を解決するための手段】
【０００６】
本発明に係る交換レンズは、カメラに装着するための開口を有したレンズ側マウント部と、開口を閉塞した閉状態と開口を閉塞しない開状態とを形成可能な開口調整部と、開口調整部を閉状態とするか開状態とするかを切り替える切り替え部とを有する。
開口を閉塞した状態で、開口調整部が開口から交換レンズ内部へ塵埃が侵入することを防止するようにできる。開口調整部に開口の中心に向かって移動する移動部を持たせてもよい。移動部を複数枚の羽根部で構成し、羽根部の回動に伴って閉状態および開状態とするようにしてもよい。羽根部を閉状態となるように付勢する付勢部を設けてもよい。カメラへの装着に連動して開口調整部を開状態とするようにしてもよい。
本発明に係るカメラボディは、交換レンズを装着するための開口を有したカメラ側マウントと、開口を閉塞した閉状態と開口を閉塞しない開状態とを形成可能な開口調整部と、開口調整部を閉状態とするか開状態とするかを切り替える切り替え部とを有する。
開口を閉塞した状態で、開口調整部は開口からカメラ内部へ塵埃が侵入することを防止するようにできる。開口調整部に開口の中心に向かって移動する移動部を持たせてもよい。移動部を複数枚の羽根部で構成し、羽根部の回動に伴って閉状態および開状態とするようにしてもよい。羽根部を閉状態となるように付勢する付勢部を設けてもよい。交換レンズの装着に連動して開口調整部を開状態とするようにしてもよい。
【発明の効果】
【０００７】
本発明によれば、レンズやカメラ内部品の保護や防塵が図れる。
【発明を実施するための最良の形態】
【０００８】
−第１の実施形態−
図１〜図５により本発明をカメラの交換レンズに適用した場合の第１の実施形態を説明する。
図１において、１０は一眼レフタイプの電子カメラのボディを、２０はカメラボディ１０に着脱可能な交換レンズをそれぞれ示している。交換レンズ２０は撮影光学系２２を内蔵し、いわゆるバヨネット式のマウント部２１を介してカメラボディ１０に装着される。カメラボディ１０には、レンズ側のマウント部２１と係合可能なマウント部１１が設けられ、両マウント部１１，２１を合わせて交換レンズ２０を所定量回転させることで装着（ロック）される。取り外しの際には、ボタン操作でロックを解除して交換レンズ２０を回転させ取り外す。
【０００９】
カメラボディ１０には、ミラー１２やペンタプリズム１３、ＣＣＤ、ＣＭＯＳといった増幅型固体撮像素子１４が設けられている。交換レンズ２０の撮影光学系２２を透過した光束はカメラボディ１０内に導かれ、ミラー１２，ペンタプリズム１３などを経て接眼部１５で観察される。撮影時にはミラー１２がアップするととにも不図示のシャッタが開き、光束は撮像素子１４に受光される。撮像素子１４の光電変換出力から画像データが生成され、不図示の記録媒体に記録される。
【００１０】
次に、図２〜図５も参照して交換レンズ２０の防塵構造について説明する。
交換レンズ２０のマウント部２１には固定リング３１が固定され、この固定リング３１と、その前方に回転可能に支持された回転リング３２との間に複数枚のフィルム状の防塵羽根３３が配置されている。防塵ばね３３は、例えばアルミや繊維強化樹脂などから成る。図２，図４のハッチングは、１枚の羽根３３の形状を分かりやすくするためのものである。
【００１１】
図５に示すように、複数の羽根３３は、固定リング３１に等角度間隔で設けた軸部３１ａにそれぞれ回転可能に軸支され、また各羽根３３に設けたピン３３ａが回転リング３２に形成された各カム溝３２ａに係合している。回転リング３２が光軸Lを中心に回転すると、カム溝３２ａがピン３３ａを介して羽根３３を回転駆動する。これにより羽根３３は、図１，図２に示す閉状態と、図３，図４に示す開状態とをとり得る。閉状態において、複数の羽根３３は隣接する羽根３３と部分的に重なり合い、リング３１，３２の開口ＯＰを完全に閉塞する。一方、開状態では、羽根３３は開口ＯＰから完全に退避しており、撮影光束は開口ＯＰを通ってカメラボディ１０内に導かれる。
【００１２】
羽根３３の開閉動作は、交換レンズ２０のカメラボディ１０への着脱に連動して行われる。すなわち、回転リング３２は不図示のばねにより羽根３３を閉塞する方向に付勢され、その付勢力によりレンズ単体時に羽根３３は閉状態にある。一方、回転リング３２には開閉レバー３４が連結され、その先端がマウント部２１から突出している。交換レンズ装着の際に交換レンズ２０をカメラボディ１０に対して回転させると、カメラボディ１０側の突起１１ａが開閉レバー３４と係合して回転リング３２をばねの付勢力に抗して回転させ、これにより羽根３３が開状態に駆動される。また交換レンズ２０を取り外すと、開閉レバー３４がフリーとなるため、ばねの付勢力により回転リング３２が逆方向に回転し、羽根３３は自動的に閉状態に戻る。
【００１３】
このように本実施形態では、互いに重なり合う複数の羽根３３によってレンズマウントの開口ＯＰを閉塞したので、鏡筒内への塵埃の侵入を抑制し、またレンズの保護が図れる。しかも羽根３３の開閉は交換レンズ２０の着脱に連動して自動的に行われるため、ユーザは特別な操作を行う必要はない。特にレンズ取り外しに伴って羽根３３が素早く閉塞するので、鏡筒内への塵埃の侵入を最小限に抑制できる。
【００１４】
−第２の実施形態−
図６〜図９により本発明を電子カメラに適用した場合の第２の実施形態を説明する。なお、図１〜図５と同様の構成要素には同一の符号を付す。
カメラボディ１００のマウント部１１の内側には、先の実施形態と同様の固定リング４１、回転リング４２および複数のフィルム状防塵羽根３３から成る防塵構造が設けられている。防塵ばね４３は、アルミや繊維強化樹脂などから成る。回転リング４２は不図示のばねにより羽根４３を閉塞する方向に付勢され、その付勢力によりレンズ非装着のとき羽根３３は閉状態にある（図６，図７）。このとき、複数の羽根４３は隣接する羽根４３と部分的に重なり合い、リング４１，４２の開口ＯＰを完全に閉塞する。したがって、開口ＯＰからカメラボディ内への塵埃の侵入が抑制される。
なお、図７および図９では、リング４１の図示を省略している。
【００１５】
回転リング４２には開閉レバー４４が連結され、その先端がマウント部１１から突出している。交換レンズ装着の際に交換レンズ２００をカメラボディ１００に対して回転させると、交換レンズ２００側の突起２１ａが開閉レバー４４と係合して回転リング４２をばねの付勢力に抗して回転させ、これにより羽根４３が開状態に駆動される（図８，図９）。開状態では、羽根３３は開口ＯＰから完全に退避しており、撮影光束は開口ＯＰを通ってカメラボディ１０内に導かれる。また交換レンズ２００を取り外すと、開閉レバー４４がフリーとなるため、ばねの付勢力により回転リング４２が逆方向に回転し、羽根４３は素早く閉状態に戻る。
【００１６】
なお電子カメラにて説明したが、銀塩一眼レフカメラやレンズ交換可能なムービーカメラでもよい。
【図面の簡単な説明】
【００１７】
【図１】第１の実施形態における交換レンズおよびカメラの側面図で、防塵用の羽根が閉状態にある様子を示す。
【図２】図１のII−II線から見た図。
【図３】図１と同様の図で、防塵用の羽根が開状態にある様子を示す。
【図４】図３のIV−IV線から見た図。
【図５】防塵機構の構造を示す断面図。
【図６】第２の実施形態における電子カメラと交換レンズの側面図で、防塵用の羽根が閉状態にある様子を示す。
【図７】図６のVII−VII線から見た図。
【図８】図６と同様の図で、防塵用の羽根が開状態にある様子を示す。
【図９】図８のIX−IX線から見た図。
【符号の説明】
【００１８】
１０，１００  カメラボディ
１１  カメラのマウント部
２０，２００  交換レンズ
２１  交換レンズのマウント部
３３，３４  羽根
３４，４４  開閉レバー
ＯＰ  開口
【図１】
2007139849.tif 000003
【図２】
2007139849.tif 000004
【図３】
2007139849.tif 000005
【図４】
2007139849.tif 000006
【図５】
2007139849.tif 000007
【図６】
2007139849.tif 000008
【図７】
2007139849.tif 000009
【図８】
2007139849.tif 000010
【図９】
2007139849.tif 000011